(57)【要約】【課題】端子固定ボルトのナット締め時に過剰な締め付けトルクによってバッテリ端子が破損されることを抑制できるバッテリ端子を提供すること。【解決手段】バッテリに突設されるバッテリポスト７１を内嵌するための環状部２０と、バッテリケーブル７２の接続端子７３をナット締めするための端子固定ボルト３０と、を備えるバッテリ端子において、端子固定ボルト３０を端子固定ボルト３０の軸周りに回転自在に支持する支持部４０と、端子固定ボルト３０の頭部３１に係止される第１の位置と端子固定ボルト３０の頭部３１から離間される第２の位置との間をナット締め時に移動可能で、第１の位置へ付勢される係止部６０と、を備える。【選択図】図１
2009187696.tif 000002
【特許請求の範囲】
【請求項１】
バッテリに突設されるバッテリポストを内嵌するための環状部と、バッテリケーブルの接続端子をナット締めするための端子固定ボルトと、を備えるバッテリ端子において、
前記端子固定ボルトを前記端子固定ボルトの軸周りに回転自在に支持する支持部と、
前記端子固定ボルトの頭部に係止される第１の位置と前記端子固定ボルトの頭部から離間される第２の位置との間をナット締め時に移動可能で、前記第１の位置へ付勢される係止部と、
を備えるバッテリ端子。
【請求項２】
前記端子固定ボルトの前記頭部は、前記端子固定ボルトの回転軸に対して垂直な断面形状における回転中心から外郭線の１点までの距離と、前記回転中心から前記外郭線の他の１点までの距離とが相違し、
前記第１の位置と前記第２の位置とを結ぶ方向が、前記端子固定ボルトの回転軸に対して垂直である請求項１記載のバッテリ端子。
【請求項３】
前記板バネは、前記端子固定ボルトの前記頭部の径方向内方に突出する山状の形状であって、ナット締め時の前記端子固定ボルトの回転方向の上流側の端部が固定端で、前記回転方向の下流側の端部が自由端である請求項２記載のバッテリ端子。
【請求項４】
前記支持部は、緊迫力によって前記環状部を摺動可能に内嵌する嵌合部を備える請求項１〜３いずれか一項記載のバッテリ端子。
【請求項５】
前記支持部は、前記環状部付近に切り込み溝を備える請求項１〜４いずれか一項記載のバッテリ端子。
【請求項６】
バッテリに突設されるバッテリポストを内嵌するための環状部と、バッテリケーブルの接続端子をナット締めするための端子固定ボルトと、前記端子固定ボルトの軸周りの回転を制限する回転制限部と、を備えるバッテリ端子において、
前記回転制限部は、緊迫力によって前記環状部を摺動可能に内嵌する嵌合部を備えるバッテリ端子。
【請求項７】
バッテリに突設されるバッテリポストを内嵌するための環状部と、バッテリケーブルの接続端子をナット締めするための端子固定ボルトと、前記端子固定ボルトの軸周りの回転を制限する回転制限部と、を備えるバッテリ端子において、
前記回転制限部は、前記環状部付近に切り込み溝を備えるバッテリ端子。
【発明の詳細な説明】
【技術分野】
【０００１】
本発明は、バッテリに突設されるバッテリポストとバッテリケーブルの接続端子とを接続するためのバッテリ端子に関する。
【背景技術】
【０００２】
従来、車載用バッテリのバッテリ端子として、車載用バッテリに突設されるバッテリポストを内嵌するための環状部と、バッテリケーブルの接続端子をナット締めするための端子固定ボルトとを備えてなるものが知られている（例えば、特許文献１参照）。このバッテリ端子（バッテリターミナル）では、図７に示すように、端子固定ボルト１の頭部２が頭部回転規制部３によって回転規制状態で固定支持されており、端子固定ボルト１の軸部４がボルト挿通孔５を貫通して上方へ突出している。この端子固定ボルト１の軸部４には、図示しないバッテリケーブルの接続端子がナット締めにより固定されるようになっている。
【特許文献１】特開２００５−９３３９３号公報
【発明の開示】
【発明が解決しようとする課題】
【０００３】
しかしながら、上記従来の構成のバッテリ端子では、バッテリポスト（図示せず）に対して環状部６を嵌合させた後、環状部６に対して固定支持された端子固定ボルト１をナット締めすると、過剰な締め付けトルクによって、バッテリ端子が環状部６を固定端として撓み、破損されることがある。
【０００４】
本発明は、上記に鑑みてなされたものであって、端子固定ボルトのナット締め時に過剰な締め付けトルクによってバッテリ端子が破損されることを抑制できるバッテリ端子を提供することを目的とする。
【課題を解決するための手段】
【０００５】
前記目的を達成するため、第１の発明は、バッテリに突設されるバッテリポストを内嵌するための環状部と、バッテリケーブルの接続端子をナット締めするための端子固定ボルトと、を備えるバッテリ端子において、
前記端子固定ボルトを前記端子固定ボルトの軸周りに回転自在に支持する支持部と、
前記端子固定ボルトの頭部に係止される第１の位置と前記端子固定ボルトの頭部から離間される第２の位置との間をナット締め時に移動可能で、前記第１の位置へ付勢される係止部と、
を備える。
【０００６】
第２の発明は、第１の発明に係るバッテリ端子であって、前記端子固定ボルトの前記頭部は、前記端子固定ボルトの回転軸に対して垂直な断面形状における回転中心から外郭線の１点までの距離と、前記回転中心から前記外郭線の他の１点までの距離とが相違し、
前記第１の位置と前記第２の位置とを結ぶ方向が、前記端子固定ボルトの回転軸に対して垂直である。
【０００７】
第３の発明は、第２の発明に係るバッテリ端子であって、前記板バネは、前記端子固定ボルトの前記頭部の径方向内方に突出する山状の形状であって、ナット締め時の前記端子固定ボルトの回転方向の上流側の端部が固定端で、前記回転方向の下流側の端部が自由端である。
【０００８】
第４の発明は、第１〜第３のいずれか１つの発明に係るバッテリ端子であって、前記支持部は、緊迫力によって前記環状部を摺動可能に内嵌する嵌合部を備える。
【０００９】
第５の発明は、第１〜第４のいずれか１つの発明に係るバッテリ端子であって、前記支持部は、前記環状部付近に切り込み溝を備える。
【００１０】
第６の発明は、バッテリに突設されるバッテリポストを内嵌するための環状部と、バッテリケーブルの接続端子をナット締めするための端子固定ボルトと、前記端子固定ボルトの軸周りの回転を制限する回転制限部と、を備えるバッテリ端子において、
前記回転制限部は、緊迫力によって前記環状部を摺動可能に内嵌する嵌合部を備える。
【００１１】
第７の発明は、バッテリに突設されるバッテリポストを内嵌するための環状部と、バッテリケーブルの接続端子をナット締めするための端子固定ボルトと、前記端子固定ボルトの軸周りの回転を制限する回転制限部と、を備えるバッテリ端子において、
前記回転制限部は、前記環状部付近に切り込み溝を備える。
【発明の効果】
【００１２】
第１〜第５の発明によれば、端子固定ボルトの頭部に係止される第１の位置と端子固定ボルトの頭部から離間される第２の位置との間をナット締め時に移動可能で、第１の位置へ付勢される係止部を備えるので、ナット締め時に、係止部によって端子固定ボルトの頭部を回転可能に押圧することができ、摩擦力によって端子固定ボルトの回転を制限することができる。これにより、端子固定ボルトに対してナット締めすることができる共に、ナット締め時の締め付けトルクを所定値以下に保持することができる。したがって、ナット締め時の過剰な締め付けトルクによるバッテリ端子の破損を抑制することができる。
【００１３】
第６の発明によれば、回転制限部が緊迫力によって環状部を摺動可能に内嵌する嵌合部備えるので、締め付けトルクが環状部と嵌合部との静止摩擦力を超えると、環状部と嵌合部とが摺動され、締め付けトルクが散逸される。このため、端子固定ボルトに対してナット締めすることができる共に、締め付けトルクを所定値以下に保持することができる。したがって、端子固定ボルトのナット締め時に過剰な締め付けトルクによってバッテリ端子が破損されることを抑制できる。
【００１４】
第７の発明によれば、回転制限部が環状部の付近に切り込み溝を備えるので、締め付けトルクがバッテリ端子に印加されると、応力が切り込み溝付近に集中する。このため、締め付けトルクが所定値以上になろうとすると、バッテリ端子が切り込み溝を中心として塑性変形され、締め付けトルクが散逸される。このため、端子固定ボルトに対してナット締めすることができる共に、締め付けトルクを所定値以下に保持することができる。したがって、端子固定ボルトのナット締め時に過剰な締め付けトルクによってバッテリ端子が破損されることを抑制できる。
【発明を実施するための最良の形態】
【００１５】
以下、図面を参照して、本発明を実施するための最良の形態の説明を行う。
【００１６】
図１は、本発明のバッテリ端子の構成の第１の実施の形態を示す上面図であり、（ａ）はナット締め前の状態の一例を示した上面図、（ｂ）は（ａ）の一部断面図である。図２は、端子固定ボルトの頭部の外周の通過可能範囲の一例を示した上面図である。図３は、バッテリ端子のナット締め時の状態の一例を示した上面図である。図４は、バッテリ端子のナット締め解除時の状態の一例を示した上面図である。ここで、矢印Ｓ方向は、端子固定ボルト３０に対するナット５０の締め付け方向、矢印Ｏ方向は、端子固定ボルト３０に対するナット５０の締め付け解除方向を示す。
【００１７】
バッテリ端子１１、１２、１３は、鉛蓄電池等のバッテリ（図示せず）に突設されるバッテリポスト（つまり、電極）７１と、バッテリケーブル７２の丸端子等の接続端子７３とを電気的に接続するものである。尚、バッテリポスト７１、及び接続端子７３は、バッテリ端子１１、１２、１３の構成要素でない。
【００１８】
第１の実施の形態のバッテリ端子１１は、図１に示すように、バッテリポスト７１を内嵌するための環状部２０と、接続端子７３をナット締めするための端子固定ボルト３０と、端子固定ボルト３０を支持する支持部４０とを備える。この環状部２０と支持部４０とは、従来と同様に、導電性金属板を折り曲げ加工して一体的に成形される。以下、バッテリ端子１１の各構成要素について詳説する。
【００１９】
環状部２０は、先端ほど外径の小さくなる円柱形状のバッテリポスト７１を内嵌するためのものである。例えば、環状部２０は、バッテリポスト７１を内側に挿通させるためのバッテリポスト挿入穴２１と、バッテリポスト挿入穴２１を縮径させるためのクランプボルト２２及びナット２３とを含み構成される。
【００２０】
また、環状部２０は、図１に示すように、円周方向の一箇所が分断されたリング状の形状であって、内部にはバッテリポスト７１を内側に挿入するためのバッテリポスト挿入穴２１が貫通形成され、両端部にはそれぞれクランプ部２５ａ、２５ｂが延設されている。
【００２１】
一対のクランプ部２５ａ、２５ｂは、互いに間隙を形成しつつ対向するよう、バッテリポスト挿入穴２１の径方向外方へ延出されている。また、一対のクランプ部２５ａ、２５ｂには、それぞれ、クランプボルト挿通孔２７ａ、２７ｂが同軸的に貫通形成され、クランプボルト挿通孔２７ａ、２７ｂには、一対のクランプ部２５ａ、２５ｂとの間隙を横断してクランプボルト２２が挿通されている。
【００２２】
クランプボルト２２は、先端側にナット２３を螺嵌している。ナット２３をクランプボルト２２の基端側へ接近させる方向に締め付けると、ナット２３とクランプボルト２２とが協働して両端部２５ａ、２５ｂ間の間隙を狭窄させる。これにより、バッテリポスト挿入穴２１が縮径され、環状部２０がバッテリポスト７１に対して締め付け固定される。
【００２３】
支持部４０は、端子固定ボルト３０を端子固定ボルト３０の軸周りに回転自在に支持するものである。例えば、支持部４０は、図１（ｂ）に示すように、箱状の形状であって、端子固定ボルト３０の頭部３１に対して間隙を形成しつつ囲繞している。
【００２４】
端子固定ボルト３０の頭部３１は、端子固定ボルト３０の軸周りに回転自在に支持部４０内の空間に収納されている。支持部４０の上面４１と下面４２とは、端子固定ボルト３０の頭部３１を挟持して、端子固定ボルト３０の軸方向への移動を制限している。支持部４０の上面４１には、ボルト挿通穴４７が貫通形成され、ボルト挿通穴４７には、端子固定ボルト３０の軸部３２が端子固定ボルト３０の軸周りに回転自在に遊嵌されている。
【００２５】
また、端子固定ボルト３０の頭部３１は、図２に示すように、端子固定ボルト３０の回転軸Ｚに対して直交する断面形状における回転中心Ｄから外郭線Ｅの１点までの距離と、回転中心Ｄから外郭線Ｅの他の１点までの距離とが相違する。例えば、端子固定ボルト３０の頭部３１は、図２に示すように、回転軸Ｚに対して直交する断面形状が正方形であって、軸部３２と同軸的に連結されている。この場合、端子固定ボルト３０の頭部３１の外周は、ナット締め時に、図２に示すように、正方形の中心を回転中心として正方形の頂点が描く外周縁Ｂと、正方形の各辺の中点が描く内周縁Ｃとによって囲まれた範囲Ａを通過する。
【００２６】
端子固定ボルト３０の軸部３２は、図１に示すように、ボルト挿通穴４７から上方へ突出しており、端子固定ボルト３０の軸部３２には、バッテリケーブル７２の接続端子７３がナット締めにより固定されるようになっている。これによって、バッテリケーブル７２の接続端子７３が、支持部４０の上面４１に押圧固定され、バッテリポスト７１に対して導通される。
【００２７】
係止部６０は、固定端子ボルト３０に対するナット締め時に、端子固定ボルト３０の自らの軸周りの回転を制限すると共に、締め付けトルクＴを所定値以下に保持するものである。すなわち、係止部６０は、その特徴的な構成として、端子固定ボルト３０の頭部３１に係止される第１の位置と端子固定ボルト３０の頭部３１から離間される第２の位置との間をナット締め時に移動可能で、第１の位置へ付勢される構成を有する。
【００２８】
このように構成すれば、ナット締め時に、係止部６０によって端子固定ボルト３０の頭部３１を回転可能に押圧することができ、摩擦力によって端子固定ボルト３０の回転を制限することができる。これにより、端子固定ボルト３０に対してナット締めすることができる共に、ナット締め時の締め付けトルクＴを所定値以下に保持することができる。したがって、ナット締め時の過剰な締め付けトルクＴによるバッテリ端子１１の破損を抑制することができる。
【００２９】
例えば、係止部６０は、図１に示すように、端子固定ボルト３０の頭部３１の径方向内方へ突出する山状の板バネ６０である。板バネ６０は、例えば、高弾性の金属板を塑性加工して成形される。この板バネ６０は、図１に示すように、支持部４０内の空間に設置され、端子固定ボルト３０の頭部３１の周方向に沿って９０°間隔で３つ設置されている。
【００３０】
各板バネ６０は、図１に示すように、矢印Ｓ方向上流側の基端部６１が支持部４０の側壁４３（４４、４５）に埋設固定され、矢印Ｓ方向下流側の先端部６２が支持部４０の側壁４３（４４、４５）の内面に摺接され、中央部６３が端子固定ボルト３０の頭部３１の外周に常時弾接されている。
【００３１】
この状態で、端子固定ボルト３０の頭部３１が矢印Ｓ方向に回転されると、図３に示すように、板バネ６０の中央部６３が端子固定ボルト３０の頭部３１の径方向外方で先端部６２側へ斜めに矢印Ｇ１（Ｇ２、Ｇ３）方向へ押圧される。これに伴い、板バネ６０の先端部６２が支持部４０の側壁４３（４４、４５）の内面に摺接しながら基端部６１とは反対側に移動され、板バネ６０が板状に伸ばされる。この板バネ６０への押圧が解除されると、板バネ６０の変形を元に戻そうとする復元力によって、図１（ａ）に示すように、板バネ６０が端子固定ボルト３０の頭部３１の径方向内方へ再び突出する。
【００３２】
したがって、板バネ６０は、端子固定ボルト３０の頭部３１が矢印Ｓ方向に回転されると、端子固定ボルト３０の頭部３１に係止される第１の位置と端子固定ボルト３０の頭部３１から離間される第２の位置との間を移動可能で、第１の位置へ付勢される構成を有する。すわわち、板バネ６０は、端子固定ボルト３０の頭部３１の外周の通過可能範囲Ａの外周縁Ｂより内側の第１の位置（内周縁Ｃ）と通過可能範囲Ａの外周縁Ｂより外側の第２の位置との間を移動可能で、第１の位置へ付勢される構成を有する。ここで、第１の位置と第２の位置とを結ぶ方向は、端子固定ボルト３０の回転軸Ｚに対して垂直になっている。
【００３３】
次に、ナット締め時の板バネ６０の作用について説明する。ナット締め前の状態では、板バネ６０の変形を元に戻そうとする復元力によって、板バネ６０が端子固定ボルト３０の頭部３１の外周に弾接している。すなわち、ナット締め前の状態では、図１（ｂ）に示すように、板バネ６０が通過可能範囲Ａの外周縁Ｂより内側の第１の位置（内周縁Ｃ）へ移動し、端子固定ボルト３０の頭部３１の外周に弾接している。
【００３４】
この状態で、ナット５０を締め付け方向（矢印Ｓ方向）に回転させると、図１（ｂ）に示すように、ナット５０を螺嵌する端子固定ボルト３０が矢印Ｓ方向に回転されようとする。このとき、ナット５０に対する締め付けトルクＴが小さい状態では、板バネ６０の復元力が端子固定ボルト３０の頭部３１の回転を押し戻す力として作用するので、端子固定ボルト３０に対してナット５０を相対的に回転させて、締め付けることができる。
【００３５】
締め付けトルクＴが徐々に大きくなると、端子固定ボルト３０の頭部３１が板バネ６０の復元力に逆らって回転し始める。これに伴い、板バネ６０が矢印Ｇ１、Ｇ２、Ｇ３方向へ徐々に押圧移動される。すなわち、板バネ６０が通過可能範囲Ａの外周縁Ｂより外側の第１の位置へ徐々に押圧移動される。
【００３６】
板バネ６０が第１の位置へ移動すると、板バネ６０の復元力が端子固定ボルト３０の頭部３１の回転を押し戻さなくなる。このため、固定端子ボルト３０がナット５０と共に矢印Ｓ方向へ回転され、締め付けトルクＴが散逸される。したがって、締め付けトルクＴを所定値以下に保持することができる。
【００３７】
このように、ナット締め時に、板バネ６０の復元力によって端子固定ボルト３０の自らの軸周りの回転を制限することができると共に、締め付けトルクＴを所定値以下に保持することができる。したがって、ナット締め時の過剰な締め付けトルクＴによるバッテリ端子１１の破損を抑制することができる。
【００３８】
続いて、ナット締め解除時の板バネ６０の作用について説明する。ナット締め解除時に、ナット５０を締め付け方向（矢印Ｓ方向）とは反対側の矢印Ｏ方向に回転させると、図４に示すように、ナット５０を螺嵌する端子固定ボルト３０が矢印Ｏ方向に回転されようとする。
【００３９】
端子固定ボルト３０の頭部３１が矢印Ｏ方向に回転されると、板バネ６０の中央部６３が径方向外方で基端部６１側へ斜めに矢印Ｈ１（Ｈ２、Ｈ３）方向に押圧される。これに伴い、板バネ６０の先端部６２が支持部４０の側壁４３（４４、４５）の内面に摺接しながら基端部６１側に移動され、板バネ６０がＵ字状に屈曲される。
【００４０】
したがって、板バネ６０は、ナット締め解除時に、通過可能範囲Ａの外周縁Ｂより外側の第１の位置へ移動されることがない。このため、ナット締め解除時に、端子固定ボルト３０の頭部３１の回転を板バネ６０によって制限することができ、端子固定ボルト３０に対してナット５０を確実に締め付け解除することができる。
【００４１】
図５は、バッテリ端子の構成の第２の実施の形態を示す上面図であり、（ａ）はナット締め前の状態の一例を示した上面図、（ｂ）はナット締め時の状態の一例を示した上面図である。以下、第２の実施の形態のバッテリ端子１２の各構成について説明するが、第１の実施の形態のバッテリ端子１１と同一の構成については、同一の符号を付して説明を省略する。
【００４２】
第２の実施の形態のバッテリ端子１２は、第１の実施の形態のバッテリ端子１１とは異なり、支持部４０の代わりに、端子固定ボルト３０の軸周りの回転を制限する回転制限部８０を備える。この回転制限部８０は、支持部４０とは異なり、環状部２０とは別途成形される。また、回転制限部８０は、緊迫力によって環状部２０を摺動可能に内嵌する嵌合部９０を備える。回転制限部８０と嵌合部９０とは、導電性金属板を折り曲げ加工して一体的に成形される。
【００４３】
回転制限部８０は、例えば、図５に示すように、箱状の形状であって、端子固定ボルト３０の頭部３１（図示せず）に対して間隙を形成しつつ囲繞している。つまり、端子固定ボルト３０の頭部３１は、回転制限部８０内の空間に収納されている。
【００４４】
回転制限部８０の上面８１と下面（図示せず）とは、端子固定ボルト３０の頭部３１を挟持して、端子固定ボルト３０の軸方向への移動を制限している。回転制限部８０の下面には、従来と同様に、端子固定ボルト３０の頭部３１の外形形状に合わせて突起部（図示せず）が突設され、端子固定ボルト３０の自らの軸周りの回転を制限している。回転制限部８０の上面８１には、ボルト挿通穴４７が貫通形成されている。ボルト挿通穴４７から外方へ突出する端子固定ボルト３０の軸部３２には、バッテリケーブル７２（図１参照）の接続端子７３（図１参照）がナット締めにより固定されるようになっている。
【００４５】
嵌合部９０は、例えば、図５に示すように、円周方向の一箇所が分断されたリング形状であって、内径寸法が環状部２０の外径寸法より僅かに小さく形成されている。嵌合部９０の内側に環状部２０を挿入させて行くと、環状部２０の外周面によって嵌合部９０の内周面が径方向外方へ押圧される。これに伴い、嵌合部９０の両端が開脚され、嵌合部９０の内径寸法が大きくなる。このため、嵌合部９０の変形を元に戻そうとする復元力によって環状部２０を締め付けて、嵌合部９０と環状部２０とを摺動可能に嵌合させることができる。
【００４６】
続いて、ナット締め時の嵌合部９０の作用について説明する。バッテリポスト７１に対して環状部２０を嵌合させた後、図５（ｂ）に示すように、端子固定ボルト３０をナット締めすると、矢印Ｓ方向への過剰な締め付けトルクＴによって、バッテリ端子１２が環状部２０を固定端として撓もうとする。しかしながら、締め付けトルクＴが環状部２０と嵌合部９０との静止摩擦力を超えると、図５（ｂ）に示すように、環状部２０と嵌合部９０とが摺動して、締め付けトルクＴが散逸される。このため、端子固定ボルト３０に対してナット締めすることができる共に、締め付けトルクＴを所定値以下に保持することができる。したがって、端子固定ボルト３０のナット締め時に過剰な締め付けトルクＴによってバッテリ端子１２が破損されることを抑制できる。
【００４７】
図６は、バッテリ端子の構成の第３の実施の形態を示す上面図であり、（ａ）はナット締め前の状態の一例を示した上面図、（ｂ）はナット締め時の状態の一例を示した上面図である。以下、第３の実施の形態のバッテリ端子１３の各構成について説明するが、第１又は第２の実施の形態のバッテリ端子１１、１２と同一の構成については、同一の符号を付して説明を省略する。
【００４８】
第３の実施の形態のバッテリ端子１３は、第１の実施の形態のバッテリ端子１１とは異なり、支持部４０の代わりに、上述の回転制限部８０を備える。この回転制限部８０は、第２の実施の形態とは異なり、上述の嵌合部９０の代わりに、環状部２０付近に切り込み溝１００を備える。例えば、切り込み溝１００は、図６に示すように、環状部２０の周方向に対して略平行に形成されている。回転制限部８０と環状部２０とは、導電性金属板を折り曲げ加工して一体的に成形される。
【００４９】
続いて、ナット締め時の切り込み溝１００の作用について説明する。バッテリポスト７１に対して環状部２０を嵌合させた後、図６（ｂ）に示すように、端子固定ボルト３０をナット締めすると、矢印Ｓ方向への過剰な締め付けトルクＴによって、バッテリ端子１３が環状部２０を固定端として撓もうとする。この際、応力が切り込み溝１００付近に集中する。このため、締め付けトルクＴが所定値以上になろうとすると、回転制限部８０が切り込み溝１００を中心として塑性変形され、締め付けトルクＴが散逸される。このため、端子固定ボルト３０に対してナット締めすることができる共に、締め付けトルクＴを所定値以下に保持することができる。したがって、端子固定ボルト３０のナット締め時に過剰な締め付けトルクＴによってバッテリ端子１３が破損されることを抑制できる。
【００５０】
以上、本発明の好ましい実施例について詳説したが、本発明は、上述した実施例に制限されることはなく、本発明の範囲を逸脱することなく、上述した実施例に種々の変形及び置換を加えることができる。
【００５１】
例えば、第１の実施の形態の係止部６０は、板バネ６０であるとしたが、ナット締め時に端子固定ボルト３０の自らの軸周りの回転を制限すると共に、締め付けトルクＴを所定値以下に保持することができる限り、係止部６０の構成に制限はない。例えば、係止部６０は、端子固定ボルト３０の頭部３１に係止される第１の位置と端子固定ボルト３０の頭部３１から離間される第２の位置との間をナット締め時に移動可能な係止片と、該係止片を第１の位置へ付勢するコイルバネとを含み構成されてよい。
【００５２】
また、第１の実施の形態の端子固定ボルト３０の頭部３１は、軸部３２と同軸的に連結されており、端子固定ボルト３０の回転軸Ｚに対して直交する断面形状が正方形であるとしたが、端子固定ボルト３０に対してナット締めすることができる共に、ナット締め時の締め付けトルクＴを所定値以下に保持することができる限り、その構成に制限はない。例えば、端子固定ボルト３０の頭部３１は、軸部３２と同軸的に連結されており、端子固定ボルト３０の回転軸Ｚに対して直交する断面形状が真円であってよい。この場合、ナット締め時に、係止部６０によって端子固定ボルト３０の頭部３１を回転可能に押圧することができ、摩擦力によって端子固定ボルト３０の回転を制限することができる。これにより、端子固定ボルト３０に対してナット締めすることができる共に、ナット締め時の締め付けトルクＴを所定値以下に保持することができる。したがって、ナット締め時の過剰な締め付けトルクＴによるバッテリ端子１１の破損を抑制することができる。
【００５３】
また、第１の実施の形態の板バネ６０は、山状の形状であって、矢印Ｓ方向上流側の基端部６１が支持部４０の側壁４３（４４、４５）に埋設固定され、矢印Ｓ方向下流側の先端部６２が支持部４０の側壁４３（４４、４５）の内面に摺接される構成としたが、ナット締め時に端子固定ボルト３０の自らの軸周りの回転を制限すると共に、締め付けトルクＴを所定値以下に保持することができる限り、板バネ６０の構成に制限はない。例えば、板バネ６０は、弓状の形状であって、基端部６１及び先端部６２の両方が支持部４０の側壁４３（４４、４５）の内面に常時摺接される構成としてよい。この場合、ナット締め解除時の端子固定ボルト３０の矢印Ｏ方向への回転を確実に防止するための回転防止機構を備えてよい。回転防止機構には、例えば、周知のワンウェイクラッチを用いることができる。
【００５４】
また、第２の実施の形態のバッテリ端子１２は、支持部４０の代わりに回転制限部８０を備えるとしたが、回転制限部８０の代わりに支持部４０を備えてよい。この場合、支持部４０と嵌合部９０とは一体的に成形され、支持部４０及び嵌合部９０と環状部２０とは別途成形される。
【００５５】
また、第３の実施の形態のバッテリ端子１３は、支持部４０の代わりに回転制限部８０を備えるとしたが、回転制限部８０の代わりに支持部４０を備えてよい。この場合、切り込み溝１００は、支持部４０に形成される。
【図面の簡単な説明】
【００５６】
【図１】本発明のバッテリ端子の構成の第１の実施の形態を示す上面図である。
【図２】端子固定ボルトの頭部の外周の通過可能範囲の一例を示した上面図である。
【図３】バッテリ端子のナット締め時の状態の一例を示した上面図である。
【図４】バッテリ端子のナット締め解除時の状態の一例を示した上面図である。
【図５】バッテリ端子の構成の第２の実施の形態を示す上面図である。
【図６】バッテリ端子の構成の第３の実施の形態を示す上面図である。
【図７】従来のバッテリ端子の構成の一例を示す斜視図である。
【符号の説明】
【００５７】
１１、１２、１３    バッテリ端子
２０    環状部
３０    端子固定ボルト
３１    端子固定ボルト３０の頭部
３２    端子固定ボルト３０の軸部
４０    支持部
５０    ナット
６０    係止部
６１    係止部６０の基端部
６２    係止部６０の先端部
６３    係止部６０の中央部
７１    バッテリポスト
７２    バッテリケーブル
７３    接続端子
８０    回転制限部
９０    嵌合部
１００    切り込み溝
【図１】
2009187696.tif 000003
【図２】
2009187696.tif 000004
【図３】
2009187696.tif 000005
【図４】
2009187696.tif 000006
【図５】
2009187696.tif 000007
【図６】
2009187696.tif 000008
【図７】
2009187696.tif 000009